(57)【特許請求の範囲】
【請求項１】
ともに毛髪の植毛が可能な、ベース本体と、当該ベース本体の周縁部に設けた周縁部材と、を備えたかつらベースであって、
前記周縁部材は、前記ベース本体の周縁部に沿って、当該周縁部から延出させた第１の部材と第２の部材とからなると共に、毛髪の植毛が可能な網状部材からなり、
前記第１の部材は前記周縁部の下側に、前記第２の部材は前記周縁部の上側に、当該周縁部を挟むようにそれぞれ設け、前記第２の部材は、前記第１の部材の全体を覆う態様で前記第１の部材に植毛された毛髪を押さえ可能に設けた
ことを特徴とするかつらベース。
【請求項２】
前記ベース本体及び前記周縁部材は、毛髪の植毛が可能な網目が配列された網状部材からなり、
前記ベース本体の周縁部における網目は、当該ベース本体の周縁部以外における網目よりも小さく、
前記周縁部材における網目は、前記ベース本体の周縁部における網目よりも大きい
ことを特徴とする請求項１に記載のかつらベース。
【請求項３】
前記第１の部材及び前記第２の部材は、前記ベース本体の周縁部から延出する部分が当該周縁部の傾きに従って直線状に突出した状態を保持可能である
ことを特徴とする請求項１又は２に記載のかつらベース。
【請求項４】
前記第１の部材と前記第２の部材は、前記第１の部材に植毛される毛髪と前記第２の部材に植毛される毛髪との間に設ける段差に対応する間隔に基づいて配置している
ことを特徴とする請求項１〜３のいずれか一項に記載のかつらベース。
【発明の詳細な説明】
【技術分野】
【０００１】
本発明は、かつらベースに関し、特に、周縁部材を設けたかつらベースに関する。
【背景技術】
【０００２】
一般に、かつらには、頭部全体を覆う全頭用のかつらと、頭部を部分的に覆う部分かつらがある。
このうち、部分かつらは、自毛の薄い部分をかつらの毛髪により補うことができ、また、この毛髪により局所的にボリューム感を出すことができる。
このような部分かつらは、通常、頭頂部の形状などに合わせて形成したかつらベースに毛髪を植毛して作製される。
ところで、かつらは、装着していることを他人に気づかれにくいことが求められるが、部分かつらは、構成上、周縁部が目立ち易いことが従来から指摘されていた。
また、ボリューム感を出すために一定の剛性を有する毛髪が植毛されるが、部分かつらの場合、周縁部に植毛した毛髪が起立して近傍の自毛となじまず、これにより周縁部が目立ち易くなる問題があった。
【０００３】
そこで、このような問題に対し、様々な工夫がなされたかつらベースが提案されている。
例えば、特許文献１には、ベース本体の周縁に沿って当該周縁から外側に突出した第１の縁部材及び第２の縁部材を備えたかつらベースが開示されている（請求項１，段落００３２，図１等参照）。
このかつらベースによれば、下側に位置する第１の縁部材が上側に位置する第２の縁部材により押さえられることから、めくり上がりが原因でかつらの周縁が目立つことを防ぐことができる。
また、特許文献２には、ベース本体の周囲領域に押さえ部材を設けたかつらベースが開示されている（請求項１，図１（ｂ）等参照）。
このかつらベースによれば、ベース本体の周囲に植毛した毛髪が押さえ部材により押さえられる。このため、かつらの毛髪が起立せず、自毛の流れに沿って流れることから、毛髪と自毛とをなじませることができるとされている。
【先行技術文献】
【特許文献】
【０００４】
【特許文献１】特開２０１４−１４８１号公報
【特許文献２】特許第５７３０４３１号公報
【発明の概要】
【発明が解決しようとする課題】
【０００５】
ところで、特許文献１に開示されているかつらベースは、下側に位置する第１の縁部材が上側に位置する第２の縁部材よりも外側に突出するようにしている（段落００４３等参照）。
このため、図５に示すように、第１の縁部材に植毛された毛髪のうち、第２の縁部材により覆われた部分に植毛された毛髪は第２の縁部材により押さえることができるが、第２の縁部材により覆われていない部分に植毛された毛髪は、第２の縁部材によって押さえることはできない。
そうすると、第２の縁部材により覆われていない第１の縁部材の部分に植毛された毛髪は起立して、自毛との境目が目立ち易くなる。
【０００６】
特許文献２に開示されているかつらベースは、押さえ部材がベース本体の周縁部の上側に配置されている（図１〜３参照）。
しかしながら、押さえ部材により覆われていない周縁近傍に植毛された毛髪を押さえ部材によって押さえることは難しいという問題があった。また、押さえ部材は端部に近いほど押圧力が小さくなるため、周縁近傍に植毛された毛髪については、確実かつ十分に押さえることはできなかった。
【０００７】
本発明は、上記の事情にかんがみなされたものであり、周縁部材を設けたかつらベースにおいて、かつらに植毛された毛髪をかつら装着者の自毛となじむようにしたかつらベースの提供を目的とする。
【課題を解決するための手段】
【０００８】
この目的を達成するため、本発明のかつらベースは、ともに毛髪の植毛が可能な、ベース本体と、当該ベース本体の周縁部に設けた周縁部材と、を備えたかつらベースであって、周縁部材は、ベース本体の周縁部に沿って、当該周縁部から延出させた第１の部材と第２の部材とからなり、第１の部材は周縁部の下側に、第２の部材は周縁部の上側に、当該周縁部を挟むようにそれぞれ設け、第２の部材は、第１の部材よりも外側に突出している。
【発明の効果】
【０００９】
本発明のかつらベースによれば、かつらの毛髪とかつら装着者の自毛との境目を目立ちにくくすることができる。
【図面の簡単な説明】
【００１０】
【図１】本発明の実施形態に係るかつらベースの斜視図である。
【図２】本発明の実施形態に係るかつらベースの平面図であり、右下部は周縁部の上側と下側に上側部材と下側部材をそれぞれ設けた構成を図示したものである。
【図３】（ａ）は図２に示すかつらベースのＡ−Ａ部の断面を模式的に示した断面模式図であり、（ｂ）は（ａ）の要部説明図である。
【図４】（ａ）は上側部材と下側部材及びこれらの部材に植毛された毛髪の段差を説明するための図であり、（ｂ）はかつらベースの周縁の近傍を上面側から見た場合の模式図である。
【図５】従来のかつらベースの問題を説明するための図である。
【発明を実施するための形態】
【００１１】
以下、本発明に係るかつらベースの実施形態について、図面を参照して説明する。
【００１２】
図１，図２に示すように、本実施形態に係るかつらベース１は、ともに毛髪を植毛可能なベース本体２と、ベース本体２の周縁部２１に沿って設けた周縁部材３を備えている。
かつらベース１は、かつらのベース部材であり、本実施形態では、頭頂部に装着する部分かつら（ウイッグ）のかつらベースについて説明する。
【００１３】
［ベース本体］
図１〜図３に示すように、本実施形態のベース本体２は、ネット地を浅底逆椀状に形成した部材である。
ネット地は、複数のフィラメントを撚り合わせた糸部材を網状に編み込んだ網状部材であり、所定の形状・大きさの網目が規則的に配列されている。このネット地には、例えば、２０〜３０ｍｍ2程度の大きさの六角形の網目ａ等が規則的に配列されている。
なお、図１，２において、網目を一部のみ便宜上示している。
フィラメントは、ポリエステル、ナイロン、ポリウレタン（スパンデックス）などの合成樹脂や、綿、絹、麻、羊毛、カシミヤなどの天然繊維を原材料としたものを用いることができる。
ベース本体２は、このようなネット地を頭型に被せ、鋲などで固定した後、ヒーター等で加熱成型し、不要な部分の切除等を行うことによって製作される。
そして、このベース本体２や後記周縁部材３に、人口毛や人毛などの毛髪５を植毛することによって部分かつらを完成することができる。
植毛は、具体的には、毛髪５を二つ折りにしてループを作り、このループに毛髪５の自由端を通す、いわゆるひばり結びにより、任意のフィラメントに毛髪５を結び付けて行う。ネット地のフィラメントに植毛された毛髪５は、根元がフィラメントの向きとほぼ直角方向を向いて起立する。
【００１４】
［周縁部材］
周縁部材３は、図１〜図３に示すように、ベース本体２の周縁部２１に沿って、周縁部２１から延出するように設けた帯状のレース地からなる部材である。
レース地は、ネット地と同様、複数のフィラメントを撚り合わせた糸部材を編み込んだ網状部材であり、例えば、１０〜２０ｍｍ2程度の大きさの菱形状又は楕円状の網目ｂが規則的に配列されている。
【００１５】
また、周縁部材３は、図２，３に示すように、下側部材３１（本発明の第１の部材）と、上側部材３２（本発明の第２の部材）の２つの部材によって構成している。
下側部材３１は周縁部２１の下側に、上側部材３２は周縁部２１の上側に、周縁部２１を挟むようにそれぞれ設け、上側部材３２は、下側部材３１よりも外側に突出するようにしている。
具体的には、下側部材３１にあたる幅狭長尺のレース地を、ベース本体２の周縁部２１に沿って配置し、一方の端部を周縁部２１の下面側に接合する。また、上側部材３２にあたる幅広長尺のレース地を、ベース本体２の周縁部２１に沿って配置し、一方の端部を周縁部２１の上面側に接合する。
これにより、上側部材３２と下側部材３１は、一方の端部が周縁部２１に固定され、他方の端部（先端部）が周縁部２１から延出した状態で取り付けられる。
下側部材３１は、周縁部２１から延出した部分に毛髪を植毛するようにしており、下側部材３１におけるこの部分（以下、延出部分という。）は、上側部材３２によって完全に覆われる。
なお、図３では、周縁部２１に取り付けた上側部材３２と下側部材３１とが隙間を有しているが、周縁近傍において、上側部材３２と下側部材３１とは隙間なく重ねられてもよい。
【００１６】
このような構成のかつらベース１によれば、下側部材３１における延出部分に植毛された毛髪５は、上側部材３２により押さえられて下方に流れる。
このため、上記構成を備えた部分かつらを装着したときには、自毛が頭頂部を中心に放射状に流れるため、かつらの周縁近傍の毛髪５が自毛とほぼ同じ方向に向かって流れてなじみ易くなる。
また、かつらベース１の網目から取り出した自毛を下方に流すことにより、周縁部２１を隠蔽しつつ、毛髪となじませることができる。
したがって、本構成によれば、かつらの周縁近傍において、かつらの毛髪５とかつら装着者の自毛との境目を目立ちにくくすることができる。
【００１７】
さらに、本発明のかつらベース１は、以下に示す特徴的な構成を備えることができる。
【００１８】
［網目の大きさに関する構成］
本実施形態のかつらベース１は、ベース本体２の周縁部２１に、ベース本体２のネット地の網目ａより小さい、例えば１ｍｍ2程度の大きさの網目ｃの網状部材を、重ねて貼り付けることができる（図２参照）。
このようにすると、形状安定性（形状保持性）を高めることができ、縫製処理を行う上での土台としての役割を適切に果たすこともできる。
【００１９】
加えて、周縁部２１には、網目ｃよりも大きな網目ｂからなる周縁部材３を周縁部２１から延出するように設けることができる。
このようにすると、周縁部２１を目立ちにくくすることができる。
すなわち、周縁部２１には、細かな目の網目ｃを施すことで、形状安定性を高めることができるなどの効果を得ることができるが、一方で、周縁部２１が視認し易くなる場合もある。
しかしながら、周縁部２１に比較的粗い目の網目ｂの周縁部材３を延出した態様で設けることで、周縁部２１を相対的に目立ちにくくすることができる。
このため、上記構成を備えたかつらベース１によれば、形状安定性を高めるなどの効果を発揮しつつ、周縁が目立ちにくい部分かつらを提供することができる。
【００２０】
［周縁部材の特性］
また、本実施形態のかつらベース１は、固有の特性を有する周縁部材３を用いることができる。
具体的には、周縁部材３の周縁部２１から延出する部分（延出部分）が、周縁部２１の傾きに従って直線状に突出する状態を保持可能な剛性や弾性を有する部材を用いることができる。
例えば、図３に示すように、周縁部２１が斜め下方を向いているベース本体２にこのような周縁部材３を取り付けた場合、上側部材３２と下側部材３１は、周縁部２１の傾きとほぼ同じ傾きで斜め下方に直線状に突出する。
【００２１】
このような構成のかつらベース１において、下側部材３１の延出部分に毛髪５を植毛すると、毛髪５は、上側部材３２を下側から押し上げようとするが、上側部材３２の剛性や弾性によって毛髪５を元に戻そうとする力が働く。
一方、下側部材３１には、上側部材３２が毛髪５を押さえることで、毛髪５を介し下側に押し下げようとする力が働くが、下側部材３１の剛性や弾性によって戻そうとする力が働く。
このため、下側部材３１の延出部分の毛髪５は、上側部材３２と下側部材３１の双方から挟圧するように押さえられる。
これにより、下側部材３１の延出部分の毛髪５は、上側部材３２により押さえ付けて下方に流すことができる。
したがって、上記構成を備えたかつらベース１によれば、周縁近傍における自毛との境目を目立ちにくい部分かつらを提供することができる。
【００２２】
［毛髪に段差を付けるための構成］
また、本実施形態のかつらベース１は、図４に示すように、下側部材３１と上側部材３２を、下側部材３１に植毛される毛髪５ａと上側部材３２に植毛される毛髪５ｂと間に設ける段差に対応する間隔に基づいて配置する構成とすることができる。
【００２３】
ここで、上側部材３２と下側部材３１は、幅方向の長さが異なるため、互いの先端部同士が、所定の間隔Ｘを空けて離れている（図４（ａ），（ｂ）参照）。なお、図４は、説明の便宜上、上側部材３２と下側部材３１の端部を直線状に表している。
このため、上側部材３２と下側部材３１の対応する箇所（図４の場合、それぞれの端部近傍）に、それぞれ同じ長さの毛髪５を植毛すると、これらの毛髪５の間で、間隔Ｘと同じ間隔の段差Ｙを付けることができる（図４（ｂ）参照）。
【００２４】
このようにすると、かつらベース１に規則的に毛髪５を植毛するだけで、カットにより段差を施したり梳いた場合と同様の効果を容易に得ることができる。
すなわち、従来、かつらベースに植毛した毛髪は、自然な風合いを出すために、カットにより段差を付けたり梳くようにしていた。特に、部分かつらは、周縁近傍において、毛髪を自毛となじませて目立ちにくくする必要があるため、上記カットを行っていたが、人手による手間や時間を要し、カット技量に差が出ることが問題となっていた。
上記構成を備えたかつらベース１によれば、上側部材３２と下側部材３１に植毛した毛髪５については、上側部材３２と下側部材３１の位置関係に対応した段差を付けることができるため、上記カットを行うことなく毛髪に自然な風合いを予め備えた部分かつらを提供することができる。
【００２５】
以上、本発明のかつらベース１の好ましい実施形態について説明したが、本発明のかつらベース１は上記実施形態にのみ限定されるものではなく、本発明の範囲で種々の変更実施が可能であることは言うまでもない。
例えば、上述した実施形態のかつらベース１は、頭頂部の部分かつらに用いるものを例示して説明したが、他の部分を対象とする部分かつらや全頭用のかつら用に用いることもできる。
また、本実施形態では、周縁部材３が、上側部材３２と下側部材３１の２つの部材からなる例について説明したが、周縁部材３は、３つ以上の部材からなる構成であってもよい。すなわち、３つ以上の部材のうち、周縁部２１を挟んで互いに上下の位置関係を有する部材であって、下側の部材に毛髪が植毛され、上側の部材がこの下側の部材よりも外側に突出する構成であればよい。
また、本実施形態のかつらベース１は、ポリウレタンシートなどの人工皮膚を頭頂部用として備えるとともに、人工皮膚の周縁の全部又は一部に側頭部用のネット地を備える等、ネット地と他の素材を組み合わせたかつらベース１であってもよい。
また、周縁部２１に網目ｃの網目部材を設ける代わりに、周縁部２１を内側又は外側に折り曲げて重ねてもよい。
【産業上の利用可能性】
【００２６】
本発明は、部分かつらに好適に利用することが可能である。
【符号の説明】
【００２７】
１  かつらベース
２  ベース本体
２１  周縁部
３  周縁部材
３１  下側部材
３２  上側部材
５  毛髪
【図１】
0006715017.tif 000002
【図２】
0006715017.tif 000003
【図３】
0006715017.tif 000004
【図４】
0006715017.tif 000005
【図５】
0006715017.tif 000006